【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
燃料を燃焼用ガスで燃焼させるバーナと該バーナの燃焼域の近傍に燃焼用ガスを供給する２段燃焼用ガス投入口とを備えたボイラと、
前記ボイラから排出された排ガスを処理する排ガス処理系統と、
前記排ガス処理系統から抜き出した前記排ガスを前記ボイラに供給する排ガス供給装置と、
前記排ガス供給装置から供給される排ガスを、前記バーナに燃焼用ガスとして供給する燃焼用ガス供給ラインと前記バーナに燃料を搬送するための燃料搬送用ガスとして供給する燃料搬送用ガス供給ラインと前記２段燃焼用ガス投入口に２段燃焼用ガスとして供給する２段燃焼用ガス供給ラインと、
富酸素ガスを製造して前記燃焼用ガス供給ラインと前記燃料搬送用ガス供給ラインにそれぞれ流量調整器を介して供給する酸素供給装置と、
前記燃焼用ガス供給ラインと前記燃料搬送用ガス供給ラインと前記２段燃焼用ガス供給ラインに燃焼用空気をそれぞれ供給する燃焼用空気供給装置と、
前記排ガス供給装置と前記燃焼用空気供給装置との運転を切り替える切替手段と、
前記燃焼用ガス供給ラインから前記バーナに供給するガス流量を調整する第１のダンパと、
前記２段燃焼用ガス供給ラインから前記２段燃焼用ガス投入口に供給するガス流量を調整する第２のダンパと、
前記第１のダンパ及び前記第２のダンパの開度と前記切替手段の切替操作と前記酸素供給装置の運転開始とを制御する制御手段とを備え、
前記制御手段は、酸素燃焼運転から空気燃焼運転に切り替えるときは、前記排ガス供給装置の運転から前記燃焼用空気供給装置の運転に切り替えさせ、更に、前記第１のダンパと前記第２のダンパを開放し、空気燃焼運転から酸素燃焼運転に切り替えるときは、前記燃焼用空気供給装置の運転から前記排ガス供給装置の運転に切り替えさせ、前記酸素供給装置の運転を開始させ、更に、前記第１のダンパを開放したまま、前記第２のダンパを閉じるように制御するボイラ燃焼システム。
【請求項２】
前記燃焼用空気供給装置は、前記燃焼用ガス供給ラインと前記２段燃焼用ガス供給ラインに燃焼用空気を供給する第１の空気供給ファンと前記燃料搬送用ガス供給ラインに前記燃焼用空気を供給する第２の空気供給ファンとから構成されてなる請求項１に記載のボイラ燃焼システム。
【請求項３】
燃料を燃焼用ガスで燃焼させるバーナと該バーナの燃焼域の近傍に燃焼用ガスを供給する２段燃焼用ガス投入口とを備えたボイラと、
前記ボイラから排出された排ガスを処理する排ガス処理系統と、
前記排ガス処理系統から抜き出した排ガスを前記ボイラにそれぞれ供給する第１と第２の排ガス供給装置と、
前記第１の排ガス供給装置から供給される排ガスを、前記バーナに燃焼用ガスとして供給する燃焼用ガス供給ラインと前記２段燃焼用ガス投入口に２段燃焼用ガスとして供給する２段燃焼用ガス供給ラインと、
前記第２の排ガス供給装置から供給される排ガスを前記バーナに燃料を搬送するための燃料搬送用ガスとして供給する燃料搬送用ガス供給ラインと、
富酸素ガスを製造して前記燃焼用ガス供給ラインと前記燃料搬送用ガス供給ラインにそれぞれ流量調整器を介して供給する酸素供給装置と、
前記燃焼用ガス供給ラインと前記２段燃焼用ガス供給ラインに燃焼用空気を供給する第１の燃焼用空気供給装置と、
前記燃料搬送用ガス供給ラインに燃焼用空気を供給する第２の燃焼用空気供給装置と、
前記第１と第２の排ガス供給装置と前記第１と第２の燃焼用空気供給装置との運転を切り替える切替手段と、
前記燃焼用ガス供給ラインから前記バーナに供給するガス流量を調整する第１のダンパと、
前記２段燃焼用ガス供給ラインから前記２段燃焼用ガス投入口に供給するガス流量を調整する第２のダンパと、
前記第１のダンパ及び前記第２のダンパの開度と前記切替手段の切替操作と前記酸素供給装置の運転開始とを制御する制御手段とを備え、
前記制御手段は、酸素燃焼運転から空気燃焼運転に切り替えるときは、前記第１と第２の排ガス供給装置の運転から前記第１と第２の燃焼用空気供給装置の運転に切り替えさせ、更に、前記第１のダンパと前記第２のダンパを開放し、空気燃焼運転から酸素燃焼運転に切り替えるときは、前記第１と第２の燃焼用空気供給装置の運転から前記第１と第２の排ガス供給装置の運転に切り替えさせ、前記酸素供給装置の運転を開始させ、更に、前記第１のダンパを開放したまま、前記第２のダンパを閉じるように制御するボイラ燃焼システム。
【請求項４】
燃料を燃焼用ガスで燃焼させるバーナと該バーナの燃焼域の近傍に燃焼用ガスを供給する２段燃焼用ガス投入口とを備えたボイラを備え、該ボイラの燃焼方式を空気燃焼方式と酸素燃焼方式とで切り替え可能に構成されたボイラ燃焼システムの運転方法であって、
前記ボイラを前記空気燃焼方式で運転するときは、前記バーナと前記２段燃焼用ガス投入口に燃焼用空気を供給する２段燃焼を行い、前記バーナに供給する前記燃焼用空気の供給量は、前記２段燃焼用ガス投入口から供給する前記燃焼用空気の供給量よりも多く、前記バーナに供給する前記燃焼用空気の酸素比を０．７以上０．９以下とし、
前記ボイラを前記酸素燃焼方式で運転するときは、前記ボイラから排出された排ガスの一部と富酸素ガスとの混合ガスを前記バーナのみに供給し、該混合ガスの酸素比を１．０以上１．２以下とするボイラ燃焼システムの運転方法。
【請求項５】
前記ボイラを前記酸素燃焼方式で運転するときは、前記バーナに前記混合ガスを供給するとともに、該混合ガスよりも少量の前記排ガスを前記２段燃焼用ガス投入口に供給する請求項４に記載のボイラ燃焼システムの運転方法。
【手続補正２】
【補正対象書類名】明細書
【補正対象項目名】００１１
【補正方法】変更
【補正の内容】
【００１１】
上記課題を解決するため、本発明のボイラ燃焼システムは、燃料を燃焼用ガスで燃焼させるバーナと該バーナの燃焼域の近傍に燃焼用ガスを供給する２段燃焼用ガス投入口とを備えたボイラと、このボイラから排出された排ガスを処理する排ガス処理系統と、この排ガス処理系統から抜き出した排ガスをボイラに供給する排ガス供給装置と、この排ガス供給装置から供給される排ガスを、バーナに燃焼用ガスとして供給する燃焼用ガス供給ラインとバーナに燃料を搬送するための燃料搬送用ガスとして供給する燃料搬送用ガス供給ラインと２段燃焼用ガス投入口に２段燃焼用ガスとして供給する２段燃焼用ガス供給ラインと、富酸素ガスを製造して燃焼用ガス供給ラインと燃料搬送用ガス供給ラインにそれぞれ流量調整器を介して供給する酸素供給装置と、燃焼用ガス供給ラインと燃料搬送用ガス供給ラインと２段燃焼用ガス供給ラインに燃焼用空気をそれぞれ供給する燃焼用空気供給装置と、排ガス供給装置と燃焼用空気供給装置との運転を切り替える切替手段と、燃焼用ガス供給ラインからバーナに供給するガス流量を調整する第１のダンパと、２段燃焼用ガス供給ラインから２段燃焼用ガス投入口に供給するガス流量を調整する第２のダンパと、第１のダンパ及び第２のダンパの開度と切替手段の切替操作と酸素供給装置の運転開始とを制御する制御手段とを備え、この制御手段は、酸素燃焼運転から空気燃焼運転に切り替えるときは、排ガス供給装置の運転から燃焼用空気供給装置の運転に切り替えさせ、更に、第１のダンパと第２のダンパを開放し、空気燃焼運転から酸素燃焼運転に切り替えるときは、燃焼用空気供給装置の運転から排ガス供給装置の運転に切り替えさせ、酸素供給装置の運転を開始させ、更に、第１のダンパを開放したまま、第２のダンパを閉じるように制御することを特徴とする。
【手続補正３】
【補正対象書類名】明細書
【補正対象項目名】００１５
【補正方法】変更
【補正の内容】
【００１５】
また、本発明のボイラ燃焼システムは、燃料を燃焼用ガスで燃焼させるバーナと該バーナの燃焼域の近傍に燃焼用ガスを供給する２段燃焼用ガス投入口とを備えたボイラと、このボイラから排出された排ガスを処理する排ガス処理系統と、この排ガス処理系統から抜き出した排ガスをボイラにそれぞれ供給する第１と第２の排ガス供給装置と、第１の排ガス供給装置から供給される排ガスを、バーナに燃焼用ガスとして供給する燃焼用ガス供給ラインと２段燃焼用ガス投入口に２段燃焼用ガスとして供給する２段燃焼用ガス供給ラインと、第２の排ガス供給装置から供給される排ガスをバーナに燃料を搬送するための燃料搬送用ガスとして供給する燃料搬送用ガス供給ラインと、富酸素ガスを製造して燃焼用ガス供給ラインと燃料搬送用ガス供給ラインにそれぞれ流量調整器を介して供給する酸素供給装置と、燃焼用ガス供給ラインと２段燃焼用ガス供給ラインに燃焼用空気を供給する第１の燃焼用空気供給装置と、燃料搬送用ガス供給ラインに燃焼用空気を供給する第２の燃焼用空気供給装置と、第１と第２の排ガス供給装置と第１と第２の燃焼用空気供給装置との運転を切り替える切替手段と、燃焼用ガス供給ラインからバーナに供給するガス流量を調整する第１のダンパと、２段燃焼用ガス供給ラインから２段燃焼用ガス投入口に供給するガス流量を調整する第２のダンパと、第１のダンパ及び第２のダンパの開度と切替手段の切替操作と酸素供給装置の運転開始とを制御する制御手段とを備え、この制御手段は、酸素燃焼運転から空気燃焼運転に切り替えるときは、第１と第２の排ガス供給装置の運転から第１と第２の燃焼用空気供給装置の運転に切り替えさせ、更に、第１のダンパと第２のダンパを開放し、空気燃焼運転から酸素燃焼運転に切り替えるときは、第１と第２の燃焼用空気供給装置の運転から第１と第２の排ガス供給装置の運転に切り替えさせ、酸素供給装置の運転を開始させ、更に、第１のダンパを開放したまま、第２のダンパを閉じるように制御することを特徴とする。
ここで、本発明のボイラ燃焼システムの運転方法として、ボイラを空気燃焼方式で運転するときは、バーナと２段燃焼用ガス投入口に燃焼用空気を供給する２段燃焼を行い、バーナに供給する燃焼用空気の供給量は、２段燃焼用ガス投入口から供給する燃焼用空気の供給量よりも多く、バーナに供給する燃焼用空気の酸素比を０．７以上０．９以下とし、ボイラを酸素燃焼方式で運転するときは、ボイラから排出された排ガスの一部と富酸素ガスとの混合ガスをバーナのみに供給し、この混合ガスの酸素比を１．０以上１．２以下とするのがよい。